(57)【要約】【課題】本考案はバイクで不整地などを走行するとき、乗り降りや停車の時、バイクの車高が高く、爪先を使って支えにくい場合いや、足の接地が不十分で不安定になったり、倒れてしまうことなどがあり、これらのことを防いで安全な操作を行うことが出来るように、靴にカバーを着けて爪先部の高さを補足してその安全性を高くする事を目的とした実用性の高いシューズカバーを提供するものである。【解決手段】本考案は車高の高いバイクに乗るライダーの靴に、合成樹脂製のカバーを付け、乗り降りや停車するとき爪先の接地が困難な場合に、カバーの爪先部に高さを補足する、カバーと一体整形の支え部を作り、これによって操作を安全に行うことが出来るようにした安全性の高いシューズカバーを提供するものである。【選択図】図１
0003097340.tif 000002
【実用新案登録請求の範囲】
【請求項１】
バイクを運転する時使用するブーツだけでは、停車する時にサドルの高さが高くて接地する爪先が届きにくく、車両の重心や体重を支えにくくなって不安定な状態になりやすく、場合によっては危険な状態になるので、これを予防して安全に停車状態を保持するために、接地する爪先の高さを補うための高さを持ったカバーを合成樹脂などの適当な材質で造り、ブーツの上から装着して停車の時の爪先の接地を容易にすることを目的としたバイク用シューズカバー。
【考案の詳細な説明】
【０００１】
【考案の属する技術分野】
本考案は、主として不整地用バイクに乗車する時使用する事を目的としたシューズカバーで、近時バイクのオフロード用車両等はその使用目的から、車高の高いものが多く、乗り降りするときや停車等で足を接地させる場合に、爪先が届きにくく、状況によっては転倒しかねないこともあり、そのような場合にあらかじめ、使用している靴の上から、合成樹脂等で成型した爪先部に適当な高さを持たせた着脱容易なシューズカバーを装着すれば、それらの不安を解消することが出来る爪先部の接地性を良くしたバイク用シューズカバーを提供するものである。
【０００２】
【従来の技術】
従来、バイクの運転でスポーツの為に不整地を走る場合などに、バイクのフレームはその目的のために車高の高いものが多く、サドルの位置も高めに設定去れており、これに乗り降りする時や停車する場合に、爪先部の高さが僅かに不足した為に、不安定な状況になりやすかったりして、これを避ける為に地形を選んだり舗道の縁石などを使って目的を果たすことも多かった。
【０００３】
【考案が解決しようとする課題】
上記のように本考案は、従来乗り降りや停止の際の足着きの不安又は不安定な状態にあったスポーツ用バイクの、乗り降りや停止する場合の操作を安定して安全に行うことが出来ることを課題として、これを解決するために考案した。
【０００４】
【課題を解決するための手段】
本考案はバイクに乗車したままの姿勢で、左右いずれかのつま先を安定して接地させるために、ともするとつま先が届かず、姿勢が不安定になり勝ちな状態を補足する方法として、合成樹脂等で靴カバーを形成し、その爪先部分に厚さ１センチ位で、高さ約４センチ程の、体重等を支える為の支え部を形成し、爪先の接地の為の不足分を補足してこれを解決しようとするもので、こま靴カバーはスリッパ状に靴の前半をカバーし、後半はベルト状にして、踵を回して前端に届かせ、これをマジックテープで固定することで解決した。
【０００５】
【考案の効果】
本考案は上記のように靴に着脱する機能も簡単で、装着して運転しても支障なく、使用目的である爪先の接地性を高め、乗り降りや停止操作時の不安定や危険の要素を排除するなど、各種の効果を提供するものである。
【０００６】
【実施例】
本考案を添付図面によってその実施例を示せば、可塑性の合成樹脂等の材料を用いて、バイク乗車時の靴１の前半部を覆う形にシューズカバー２を成型し、その爪先部３を靴１の前半にカバー状にシューズカバー２を被せ、そのシューズカバー２の爪先部に、厚さ１センチ、高さ４センチ程の半円形をした爪先の接地の為の支え部４を造り、シューズカバー２の後部に、踵を回って反対側のシューズカバーに届くベルト５を作り、その先端にマジックテープ６を付け、シューズカバーにマジックテープ受け７を取り付け、これでシューズカバー２は靴１にしっかり固定されて足の接地も不安なく対応することが出来るものである。
【図面の簡単な説明】
【第１図】本考案を靴に装着した状態の斜視図である。
【第２図】本考案の一部透視した側面図である。
【符号の説明】
１　　　　靴
２　　　　シューズカバー、
３　　　　シューズカバー爪先部、
４　　　　支え部、
５　　　　ベルト、
６　　　　マジックテープ、
７　　　　マジックテープ受け、
【図１】
0003097340.tif 000003
【図２】
0003097340.tif 000004
【手続補正書】
【提出日】平成14年11月29日(2002.11.29)
【手続補正１】
【補正対象書類名】明細書
【補正対象項目名】実用新案登録請求の範囲
【補正方法】変更
【補正の内容】
【実用新案登録請求の範囲】
【請求項１】
本考案はオフロード走行用のバイクを運転するとき、靴カバーとして着用するもので、靴の前半部をカバーして前端底側に高さ４センチ、厚さ１センチ程の弧状の接地部を作り、その後半は弧状の突起を減じながら靴底受けを形成して靴底に接する辺りまで延ばし、カバーの上側は靴の前半を挿入出来るようにスリッパ状に作り靴底側の部分と接し、上面の後側面から靴の踵部を巻いて反対側のカバーに達するカバー着装用の帯を作り、その先端にカバーを着脱するための面テープを付け、カバー反対側の適宜な位置に受けテープを付けて容易にカバーを着脱を出来るようにして成るバイク用シューズカバー。
【考案の詳細な説明】
【０００１】
【考案の属する技術分野】
本考案はオフロード用バイクを運転する場合に使用する靴のカバーに関するものである。
【０００２】
【従来の技術】
オフロード用バイクを不整地で運転する場合、停車する時に車高が高いために足付きをする場所を選びながらしなければならず、不安定な場所や状況にならないように気遣って停止していた。
【０００３】
【考案が解決しようとする課題】
オフロード用バイクは不整地を走行するため車高が高く、またその方が走り易いが、停止時に足を接地させる場合にやりにくく、これを解決するために専用の爪先を高くして接地し易くしたシューズカバーを作り、これを装着することで容易に爪先を接地することが出来るので、これによって前述の欠点を解消しようとするものである。
【０００４】
【課題を解決するための手段】
本考案はオフロード用等車高の高いバイクに乗車したまま、左右いずれかの爪先を安定して接地させるため、ともすると不足しがちな爪先部の高さ不足を補足する方法として、合成樹脂などで靴のカバーを作り、その爪先部に高さ４センチ厚さ１センチ程の半弧状の接地受け部を作り、これによって爪先を接地するときの高さの不足を解消し、またこのシューズカバーの着脱には、カバーと一体成型したベルトを作り、これを靴の踵を回して反対側のカバー後端にベルト受け部を作って、ベルト先端に面テープを付け、ベルト受け部に面テープのテープ受けを付けてこれにベルト先端の面テープを噛み合わせれば、シューズカバーの装着を終え、これをもって解決の手段とした。
【０００５】
【考案の効果】
本考案は上記のように機能性も良く、構造も簡単で、着脱も容易であり、使用目的である爪先の接地性を高め、乗り降りや停止操作時の不安定や危険の要素を排除するなど、各種の効果を提供するものである。
【０００６】
【実施例】
本考案を添付図面に寄って実施例を示せば、可塑性の合成樹脂などでバイク乗車用の靴１の前半を覆う形にシューズカバー２、及びベルト５を一体に成型し、その前端の爪先部３は靴底の形に沿うように高さ４センチの半弧状になった接地部４を作り、カバー後端から踵を回って反対側に伸びるベルト５の先端に面テープ６とその受けテープ７を反対側に取り付け、これを結着すればシューズカバーは固定され、足の接地も全く不安なく対応出来るようになるものである。
【図面の簡単な説明】
【図１】本考案を靴に装着した斜視図である。
【図２】本考案を装着した状況を一部切除透視した側面図である。
【符号の説明】
１　　　　　　　靴
２　　　　　　　シューズカバー
３　　　　　　　爪先部
４　　　　　　　接地部
５　　　　　　　ベルト
６　　　　　　　面テープ
７　　　　　　　受けテープ
【図面】
【図１】0003097340.tif 000005
【図２】0003097340.tif 000006